(57)【要約】【課題】本発明は電子レンジなどの調理器に関するもので、待機時に部品故障などで待機中に電力消費することを課題とする。【解決手段】待機時に制御手段３への電力供給を電力開閉手段５を遮断させ、さらに第２電力開閉手段７を連動して、加熱手段１を駆動する駆動手段８の駆動電力を遮断する構成とする。【選択図】図１
2011149610.tif 000002
【特許請求の範囲】
【請求項１】
食品を加熱する加熱手段と、設定を行うキー入力手段と、調理器を制御する制御手段と、前記制御手段との間に設け前記制御手段への電力を開閉する電力開閉手段と、前記電力開閉手段の開閉状態を保持する保持手段と、前記電力開閉手段から従属して動作する第２電力開閉手段とを備え、
前記加熱手段が、前記制御手段の出力信号と前記第２開閉手段との論理積で駆動する駆動手段を備えた構成を特徴とする調理器。
【請求項２】
第２電力開閉手段の回路電圧は、電力開閉手段の回路電圧より高い回路構成とした請求項１に記載の調理器。
【発明の詳細な説明】
【技術分野】
【０００１】
本発明は、調理器において未使用時の使用電力を低減させる制御回路に関するものである。
【背景技術】
【０００２】
従来、この種の回路構成では主動作停止時、いわゆる待機時には制御手段にマイコンを用いている場合そのマイコン回路の電源を切断して機器の消費電力を低減させ、たとえば加熱室の一部を開閉可能としたドアの開閉操作によって再びマイコンの電源を投入し機器を動作可能とする構成にしている（例えば、特許文献１参照）。
【０００３】
図４は、特許文献１に記載された従来の回路構成を示すものである。図４に示すように、制御手段３へ電力を供給する電源回路４と、電源回路４から制御手段３への電力供給を開閉する電力開閉手段５と、電力開閉手段５のＯＮ／ＯＦＦを制御する保持手段６で構成されている。また、特許文献２によれば、制御を半導体制御装置の制御に依存する場合に、２つ以上の制御信号の論理積でリレーを駆動させる構成が、機器の安全性確保として示されている。
【先行技術文献】
【特許文献】
【０００４】
【特許文献１】特開２００２−３２７９２４号公報
【特許文献２】特開２００７−３５３９０号公報
【発明の概要】
【発明が解決しようとする課題】
【０００５】
しかしながら、前記従来の構成では、制御手段３のマイコン回路の電源を開閉する方法では、大電流高出力の加熱手段の制御に用いられる、例えば機械式リレーや半導体リレーの部品故障によって、待機時であっても電力を消費し続けるという問題があった。また、故障時によって、機器の安全性が損なわれることも大きな課題である。
【０００６】
本発明は、前記従来の課題を解決するもので、駆動回路にマイコン回路とは独立した第２制御回路を付加し、待機時電力低減時の信頼性を向上させた制御回路を提供することを目的とする。
【課題を解決するための手段】
【０００７】
前記従来の課題を解決するために、本発明の調理器は、制御手段の電源を開閉する電力開閉手段に加熱手段を駆動する駆動手段の電源を開閉する第２電力開閉手段を加え、待機時に制御手段と駆動手段の両方の電源を遮断する構成としている。
【０００８】
これによって、加熱手段は制御手段が待機時に電力制御手段が電力を遮断してもなお動作し続けている場合に第２電力開閉手段が駆動手段の電力を遮断するため、加熱手段の駆動を停止させることができ、待機時に省電力となる。
【発明の効果】
【０００９】
本発明の調理器は、従来の待機時電力対応制御回路に第２電力開閉手段を付加することで制御回路の故障などによって待機時の消費電力低減を阻害することがない構成を提供することができる。
【図面の簡単な説明】
【００１０】
【図１】本発明の実施の形態１における回路構成図
【図２】本発明の実施の形態２における回路構成図
【図３】本発明の実施の形態３における回路構成図
【図４】従来の回路構成図
【発明を実施するための形態】
【００１１】
第１の発明は、食品を加熱する加熱手段と、設定を行うキー入力手段と、調理器を制御する制御手段と、前記制御手段との間に設け前記制御手段への電力を開閉する電力開閉手段と、前記電力開閉手段の開閉状態を保持する保持手段と、前記電力開閉手段から従属して動作する第２電力開閉手段とを備え、前記加熱手段が前記制御手段と前記第２開閉手段の論理積で駆動する駆動手段を備えた構成とすることにより、電力開閉手段で制御手段が遮断されている時、いわゆる待機時には、加熱手段を駆動する駆動手段の電源である第２電力開閉手段が加熱手段を駆動する駆動手段の電源を遮断することにより、待機時に駆動手段の動作を確実とする効果がある。
【００１２】
第２の発明は、特に、第１の発明の第２電力開閉手段の回路電圧を電力開閉手段の回路電圧より高い回路構成とすることにより、制御手段を構成するマイコンの動作電圧を超える制御手段において請求項１の効果を実現することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における回路構成を示すものである。
【００１５】
図１において、電源回路４は、１００Ｖや２００Ｖ、５０Ｈｚ／６０Ｈｚといった商用電源からマイコンを用いた制御手段３と駆動手段４用の直流低電圧、例えば１２Ｖや５Ｖに変換するもので、１２ＶはリレーやＬＥＤなどの電源に、５Ｖはマイコンの電源に使用し、待機時における電力開閉制御は、このうち５Ｖを待機時に切断させるものである。
【００１６】
電力開閉手段５は、キー入力手段２の状態により制御手段３用の５Ｖの電力供給開始の指示を行うが、その状態の保持は保持手段６による。電力開閉手段５が、電力を制御手段３に供給し始めた後、制御手段３から保持手段６により、その状態を維持することができる。
【００１７】
第２電力開閉手段７は、電力開閉手段５に連動して動作し、待機時に停止する単純な構成で、回路電源からリレー用の１２Ｖ電源を開閉している。
【００１８】
キー入力手段２により、制御手段３から駆動手段８を操作する。この時、駆動手段８は制御手段３と第２電力開閉手段７との論理積で動作し、加熱手段１を駆動する。
【００１９】
以上のように本実施の形態によれば、第２電力開閉手段７が電力遮断の状態では、制御手段３が駆動手段８を操作する信号を発しても、加熱手段１は停止し待機動作を維持できる。
【００２０】
（実施の形態２）
図２は、本発明の第２の実施の形態における回路構成を示すものである。
【００２１】
図２において、第２電力開閉手段としてＮＰＮおよびＰＮＰのトランジスタで構成した
第２電力制御回路９は、電力開閉手段５の出力を入力として、リレー１２とトランジスタで構成された駆動回路１０の電源１２Ｖを開閉し、加熱手段としてヒータ１１を駆動している。
【００２２】
（実施の形態３）
図３は、本発明の第３の実施の形態における回路構成を示すものである。
【００２３】
図３において、第２電力開閉手段として、ＮＰＮのトランジスタで構成した第２電力制御回路９は駆動回路１０の０Ｖ側に配置することで電力開閉手段５との接続を簡略化している。
【００２４】
以上のように構成された制御回路について、以下その動作、作用を説明する。
【００２５】
まず、商用電源に接続された回路電源は待機時には待機時電力制御によりマイコンの電源５Ｖを切断し、起動のためのキー入力手段の開閉によってマイコンの電源５Ｖを供給し、待機時には第２制御回路が駆動回路の動作を阻止するため、制御回路が動作したとしても加熱手段は動作しない。
【００２６】
以上のように、本実施の形態においては加熱手段が動作する条件に制御手段に第２電力開閉手段が付加され、待機時にあっては駆動回路が第２電力開閉手段によって強制的に遮断されることで、待機時にあっても部品故障などで駆動手段が動作するような状況であっても余計な電力を消費されることを防ぐことができる。また、加熱手段の動作条件が多重になるため、調理器として電子レンジやオーブンなどの安全手段としても有効であり、容易に実装可能な方法である。
【産業上の利用可能性】
【００２７】
以上のように、本発明にかかる調理器は、従来の回路構成に容易に実装が可能となるので、特に調理器として電子レンジやオーブンなどの安全手段としても有効であり、容易に実装可能な方法である。
【符号の説明】
【００２８】
１  加熱手段
２  キー入力手段
３  制御手段
４  電源回路
５  電力開閉手段
６  保持手段
７  第２電力開閉手段
８  駆動手段
９  第２電力制御回路
１０  駆動回路
１１  ヒータ
１２  リレー
１３  高周波発振部
【図１】
2011149610.tif 000003
【図２】
2011149610.tif 000004
【図３】
2011149610.tif 000005
【図４】
2011149610.tif 000006